(57)【特許請求の範囲】
【請求項１】
被挿入部を有する清掃用物品と、該被挿入部に挿入して清掃用物品を取り付ける把手具とからなる清掃具であって、
前記清掃用物品は、装着用シートを有し、前記被挿入部は、該装着用シートが重ね合わされ、前記把手具の挿入方向に延びる互いに平行な一対の接合領域によって、重ね合わされた前記装着用シートが接合されて形成されており、前記接合領域それぞれは、前記挿入方向に沿って間隔をあけて並んだ複数の接合部からなり、
前記清掃用物品の前記被挿入部は、前記把手具の挿入方向の一端に形成された挿入用開口部と他端との途中領域に被挿入衝合部が設けられ、該被挿入衝合部は、前記挿入方向と直交する方向に離間する一対の衝合用接合部を設けて形成された、前記被挿入部における、前記挿入用開口部の幅より小さい領域からなり、
前記把手具は、把持部と、該把持部の先端から延びて前記清掃用物品の前記被挿入部に挿入する挿入部と、該挿入部を前記被挿入部に挿入したときに前記清掃用物品の前記挿入用開口部近傍を保持する保持部とを有し、
前記把手具の前記挿入部は、前記清掃用物品の前記被挿入部に挿入したときに、前記被挿入衝合部と衝合するまで実質的に障害なく挿入され、該被挿入衝合部と衝合する衝合位置から先への該挿入部のそれ以上の挿入を規制する把手具衝合部を有しており、
前記把手具衝合部は、前記挿入部の前記把持部側から先端に向かう途中で該挿入部の幅が小さくなる領域によって形成され、
前記挿入部の把手具衝合部よりも前記先端側は、前記被挿入衝合部に挿通可能であって、被挿入衝合部の幅以下で形成され、
前記挿入部の把手具衝合部よりも前記把持部側は、前記被挿入部の前記挿入用開口部の幅以下で形成され、前記被挿入衝合部よりも大きな幅で形成されており、
前記被挿入部は、前記挿入部の先端と衝合しない状態において、前記被挿入衝合部が前記把手具衝合部と衝合するようになされており、
前記挿入部が前記被挿入部に挿入されており、前記保持部にて前記清掃用物品が保持されたときに、前記把手具衝合部と前記保持部との間の前記清掃用物品の移動が実質的に抑制されている清掃具。
【請求項２】
前記把手具の前記保持部は、前記挿入部と前記把持部との境近傍に設けられ、
前記清掃用物品の前記挿入用開口部近傍に前記保持部と係合する係合手段が設けられている請求項１に記載の清掃具。
【請求項３】
前記清掃用物品の前記被挿入部は、前記把手具の挿入方向の両端に前記挿入用開口部を有し、いずれの該挿入用開口部から前記挿入部を挿入しても前記被挿入衝合部が前記把手具衝合部と衝合し、前記把手具に設けられた前記保持部にて前記清掃用物品の前記挿入用開口部近傍を保持可能である請求項１又は２に記載の清掃具。
【請求項４】
前記挿入部は、前記把持部とは反対側の端部で連続する一対の棒状部を有し、
前記挿入部の前記保持部は、一対の前記棒状部の前記把持部近傍の外側に突出して形成された一対の突部であって、前記保持部の外側端部同士の幅は、前記被挿入部の前記挿入用開口部の幅より大きくなっており、
一対の前記棒状具は、一対の前記突部同士の距離が小さくなるように変形可能となされている請求項１〜３のいずれか１項に記載の清掃具。
【請求項５】
一対の前記棒状部それぞれは、前記把持部側の外側に拡縮小操作部を備え、
一対の前記拡縮小操作部を互いに近づけるように押圧することで、前記保持部の前記外側端部同士の距離が小さくなるようになされている請求項４記載の清掃具。
【請求項６】
前記清掃用物品は、繊維束又は長繊維からなる繊維層と、不織布からなる前記装着用シートとが積層されて形成されている請求項１〜５のいずれか１項に記載の清掃具。
【請求項７】
前記清掃用物品は、前記装着用シートの上下に前記繊維層を有しており、該繊維層における繊維束又は長繊維が毛羽立てられている請求項６記載の清掃具。
【発明の詳細な説明】
【技術分野】
【０００１】
本発明は、把手と清掃用物品とからなる清掃具に関する。
【背景技術】
【０００２】
従来、把手具と清掃用物品とを有し、把手具を清掃用物品の被挿入部内に挿入して取り付け可能になされている清掃具が広く知られている。この種の清掃具は、把手具を手で持って清掃がなされるもので、清掃用物品の刷毛部等を清掃対象面に当てる力加減の調節が容易であり、操作性が向上している。
そして、把手具を持った清掃作業の際に、清掃用物品が把手具から抜けないようにするため、清掃用物品の被挿入部の幅を、把手具の挿入部よりも狭くした清掃具がある。しかし、このような清掃具では、把手具を被挿入部に入れ難くなり、清掃具の使用後に把手具を被挿入部から外し難くなる。一方、把手具の挿入部の幅よりも、清掃用物品の被挿入部の幅を広くすると、把手具を被挿入部に挿入し易くなるが、同時に把手具が被挿入部から抜け易くなり、清掃用物品が清掃作業中に把手具から外れ、トラブルを引き起こしてしまう場合がある。
また、前述した問題を解決するために、把手具の挿入部の弾性変形を利用して、把手具を清掃用物品の被挿入部に入れ易くしている清掃具が提案されている。
【０００３】
例えば、特許文献１には、把手具と清掃用物品とからなる清掃具であって、把手具は、清掃用物品の被挿入部に挿入される合成樹脂製の一対の差込板が互いに平行に延びており、各差込板の外側部に２つの凸部が長手方向に間隔をあけて一体に形成されており、清掃用物品は平行に延びる２つの被挿入部が形成され、被挿入部の長手方向の中央領域に溶着線による狭内幅部が形成されている清掃具が開示されている。この清掃具は、把手具における一対の差込板が被挿入部に挿入されると、一対の差込板が内側に弾性変形し、凸部が溶着線に小面積で摺動した後に、２つの凸部の間に狭内幅部が挟まれた状態で把手具が清掃用物品に固定される。
【０００４】
【特許文献１】特開２００３−２６５３９０号公報
【発明の開示】
【発明が解決しようとする課題】
【０００５】
特許文献１記載の清掃具によれば、一対の差込板の外縁に凸部が形成され、被挿入部には、凸部が形成された部分の差込板全体の横幅よりも狭幅になるように溶着線を形成した狭幅領域がある。このため、把手具の差込板を被挿入部に挿入する際に、凸部が前述の溶着線を乗り越えるようにして挿入させて抜け止めとするため、凸部の形成された差込板の部分と被挿入部の狭幅領域との間の摺動によりかなりの負荷が発生し、凸部が被挿入部内でひっかかったり、差込板を撓ませたり、場合によっては被挿入部が破損するおそれもある。
【０００６】
従って本発明の目的は、前述した従来技術が有する欠点を解消し得る清掃具を提供することにある。
【課題を解決するための手段】
【０００７】
本発明は、被挿入部を有する清掃用物品と、該被挿入部に挿入して清掃用物品を取り付ける把手具とからなる清掃具であって、前記清掃用物品の前記被挿入部は、前記把手具の挿入方向の一端に形成された挿入用開口部と他端との途中領域に被挿入衝合部が設けられ、
前記把手具は、把持部と、該把持部の先端から延びて前記清掃用物品の前記被挿入部に挿入する挿入部と、該挿入部を前記被挿入部に挿入したときに前記清掃用物品の前記挿入用開口部近傍を保持する保持部とを有し、前記把手具の前記挿入部は、前記清掃用物品の前記被挿入部に挿入したときに、前記被挿入衝合部と衝合するまで実質的に障害なく挿入され、該被挿入衝合部と衝合する衝合位置から先への該挿入部のそれ以上の挿入を規制する把手具衝合部を有し、前記挿入部が前記被挿入部に挿入されており、前記保持部にて前記清掃用物品が保持されたときに、前記把手具衝合部と前記保持部との間の前記清掃用物品の移動が実質的に抑制されている清掃具を提供することにより前記目的を達成したものである。
【発明の効果】
【０００８】
本発明の把手具と清掃用物品とからなる清掃具によれば、把手具を清掃用物品の被挿入部に入れ易く且つ被挿入部から外し易く、そして被挿入部に把手具を挿入した状態で清掃用物品を安定的に保持する。
【発明を実施するための最良の形態】
【０００９】
以下、本発明の清掃具１の好ましい第１実施形態について、図１〜図６を参照しながら説明する。
【００１０】
本実施形態の清掃具１は、図１〜図４に示すように、被挿入部１５を有する清掃用物品１０と、該被挿入部１５に挿入して清掃用物品１０を取り付ける把手具２０とからなる。
また、本実施形態の清掃具１において、装着用シート１３ａ，１３ｂを有しており、被挿入部１５は、図４に示すように一対の装着用シート１３ａ、１３ｂが重ねあわされ接合されて形成され、把手具２０は、図３（ａ）〜（ｃ）に示すように把持部２１と、該把持部２１の先端から延びて被挿入部１５内に挿入される挿入部２２と、挿入部２２を被挿入部１５に挿入したときに清掃用物品１０の挿入用開口部近傍を保持する保持部２４とを有している。
【００１１】
把手具２０の挿入部２２は、清掃用物品１０の被挿入部１５に挿入したときに、被挿入衝合部１８と衝合するまで実質的に障害なく挿入され、該被挿入衝合部１８と衝合する衝合位置から先への該挿入部２２のそれ以上の挿入を規制する把手具衝合部２３を有している。具体的には、挿入部２２は、把持部２１の側の基部２２ａから先端部２２ｂへ向かう途中領域に把手具衝合部２３を有している。そして、被挿入部１５は、把手具２０の挿入方向の一端に形成された挿入用開口部と他端との途中領域に被挿入衝合部１８を有している。
そして、挿入部２２が被挿入部１５に挿入されており、保持部２４にて清掃用物品１０が保持されたときに、把手具衝合部２３と保持部２４との間の清掃用物品１０の移動が実質的に抑制されている。
「清掃用物品１０の移動が実質的に抑制されている」とは、把手具衝合部２３と保持部２４との間における清掃用物品１０の移動が完全に生じない場合、及び、詳細は後述するが、清掃用物品１０の挿入用開口部近傍と把手具２０の保持部２４との間の遊び程度には清掃用物品１０の移動が生じる場合、それぞれを意味する。
【００１２】
本実施形態の清掃具１について、更に以下に説明する。把手具衝合部２３は、挿入部２２の把持部２１側から先端に向かう途中で該挿入部２２の幅又は断面積が小さくなる領域によって形成され、挿入部２２の把手具衝合部２３よりも先端側は、被挿入衝合部１８に挿通可能であって、被挿入衝合部１８の幅又は断面積以下で形成され、挿入部２２の把手具衝合部２３よりも把持部２１側は、被挿入部１５の挿入用開口部の幅又は面積以下で形成され、被挿入衝合部１８よりも大きな幅又は断面積で形成されている。
更に説明すると、清掃具１は、把手具２０の挿入部２２を被挿入部１５の一端に形成された挿入用開口部から挿入したときに、把手具衝合部２３と被挿入衝合部１８とが衝合し、衝合位置から先への該挿入部２２のそれ以上の挿入が規制される。被挿入衝合部１８は、被挿入部１５の内側に設けられ、把手具衝合部２３と衝合する部分であって、把手具衝合部２３は、被挿入衝合部１８と衝合して挿入部２２の挿入方向及びその垂直方向の動きが規制されるように、挿入部２２の把持部２１側である基部２２ａから先端部２２ｂに向かう途中で幅や太さ（断面積）が小さくなっている部分である。把手具衝合部２３は、好ましくは図３に示すように一対の段差部であって、把手具衝合部２３から先端部２２ｂまでの領域の幅又は太さが、把手具衝合部２３より基部２２ａ側の挿入部２２の幅又は太さよりも小さく形成され、被挿入部１５の挿入用開口部の幅又は太さは、挿入部２２の先端から基部までを挿入できる幅又は太さになっている（挿入部２２の最大幅又は最大断面積と略同じかそれより大きい）。
【００１３】
被挿入部１５は、装着用シート１３ａ，１３bが重ね合わされて形成されてなるものであり、本実施形態では、一対の装着用シート１３ａ，１３ｂを接合して形成されている。被挿入衝合部１８は、被挿入部１５の内部に形成された接合部によって設けられ、図３に示すように挿入用開口部と他端との途中領域で幅又は太さが小さくなる部分、例えば括れ部を形成することが好ましい。つまり、被挿入衝合部１８は、挿入部２２が挿入される被挿入部１５における、挿入用開口部の幅又は面積より小さい領域からなることが好ましい。被挿入衝合部１８としての括れ部は、挿入部２２を被挿入部１５に挿入したときに、把手具衝合部２３と衝合し、挿入部２２の把手具衝合部を境に先端部２２ｂ側は被挿入衝合部１８よりも先に実質的に障害なく挿入できるが、基部２２ａ側を挿入できない狭い幅又は細く（小さな面積）構成されている。ここで、実質的に障害なく挿入するとは、挿入の途中で挿入に必要な力が極端に増加して力を加えて挿入する必要がないか、又は、概ね同じ力で挿入できるか、又は挿入部２２を撓ませたり変形させたり、装着用シート１３ａ，１３ｂの弾発力に抗して挿入したり、装着用シート１３ａ，１３ｂを伸ばして挿入する過程がない状態をいう。本実施形態では、被挿入衝合部１８の幅又は断面積が、挿入部２２の把手具衝合部２３より先端部２２ｂ側の最大幅又は断面積とほぼ等しいか、広い又は大きいことにより、挿入部２２を挿入するのに実質的に障害がない。具体的には、挿入部２２の把手具衝合部２３より先端部２２ｂ側は、被挿入衝合部１８にひっかかる凹凸なく形成されていることが好ましい。
【００１４】
本実施形態の清掃具１における把手具２０について更に説明すると、挿入部２２は、図３（ａ）〜（ｃ）及び図１５（ａ）及び（ｂ）に示すように細長い扁平な板状の形状をしている。挿入部２２は２枚の装着用シート１３ａ，１３ｂによって形成される被挿入部１５に挿入される。本発明の清掃具１は、一般の家庭用に用いられる場合、把手具２０における挿入部２２の寸法は、長さが１２０〜２００ｍｍ、幅が２０〜４０ｍｍであることが好ましい。
【００１５】
把手具２０における挿入部２２は、図３（ｂ）に示すように、その基部２２ａから把手具衝合部２３までの範囲で幅が略一定であり、把手具衝合部２３において幅が狭まり、把手具衝合部２３から先端部２２ｂまでの範囲で幅が略一定となっている。このように、挿入部２２は途中で細くなっている形状を有しており、その平面視形状が幅方向の中心線に対して略線対称に形成されている。
把手具衝合部２３としての一対の段差部それぞれの角部は、図３（ａ）及び（ｂ）に示すように、面取りされて丸みを帯びており、挿入部２２をスムーズに被挿入部１５へ挿入したり又は抜いたりできる。
【００１６】
挿入部２２は、把手具衝合部２３において後述する被挿入部１５の被挿入衝合部１８としての括れ部と衝合され、衝合位置から先の被挿入部１５内へそれ以上の挿入が規制される。
把手具衝合部２３としての一対の段差部の両側部がそれより先端部２２ｂの領域よりも張出した幅Ｗ１（図３（ｂ）参照）は、挿入部２２の左右において同じである。把手具衝合部２３としての段差部の幅Ｗ１は、１〜１０ｍｍ、特に２〜７ｍｍであることが好ましい。幅Ｗ１が１ｍｍ以上であることが、把手具２０が把手具衝合部２３と被挿入衝合部１８とが衝合し、衝合位置より被挿入部１５内へそれ以上の挿入が確実に規制される上で好ましい。また、幅Ｗ１が１０ｍｍ以下であることが、把手具２０を被挿入部１５に挿入する際に、把手具２０が被挿入部１５の挿入用開口部に引っかからず且つ把手具２０の挿入部２２の剛性を確保する上で好ましい。
【００１７】
また、挿入部２２において、把手具衝合部２３から先端部２２ｂまでの部分の幅Ｗ２（図３（ｂ）参照）が、把手具衝合部２３の幅Ｗ３（図３（ｂ）参照）に対して、５０〜９５％、特に７０〜９０％であることが、同様の理由から好ましい。
【００１８】
把手具２０について更に説明すると、把手具２０における挿入部２２の基部２２ａ近傍には、清掃用物品１０を保持する保持部２４としてフック部が設けられている。具体的には、保持部２４は、挿入部２１と把持部２２との境近傍に設けられている。保持部２４としてのフック部は、図３（ｃ）に示すようにその先端を把持部２１側に向けて上方に突出している。保持部２４は、挿入部２２を被挿入部１５内に挿入した状態で、後述する清掃用物品１０における係合手段１９としての切れ込みと係合することで把手具２０に清掃用物品１０を保持し、保持部と把手具衝合部２３との間の清掃用物品１０の移動を抑制している。
【００１９】
把手具２０において、把持部２１と挿入部２２とは、図３（ｃ）に示すように、所定の角度をなしている。挿入部２２がこのような形状となっていることで、挿入部２２に可撓性が付与され、曲面や凹凸を有する清掃対象面を清掃した場合に清掃用物品１０が清掃対象面に追従し易くなり、埃の除去効率が高まる。
挿入部２２は、図３（ｂ）に示すように幅方向中央部に縦長矩形の中空部が形成されている場合には、挿入部２２の剛性を下げて可撓性が高められる。また、図１５（ａ）に示すように幅方向中央部に肉厚部を形成すると、肉厚部の周縁部分を肉薄とすることが可能となり、適度な可撓性をもたせつつ、清掃対象面を清掃した際に肉薄部分を狭い隙間に入れることができる。
また、挿入部２２の先端部２２ｂは丸みを帯びており、挿入部２２を被挿入部１５にスムーズに挿入できるようになっている。
【００２０】
挿入部２２の把手具衝合部２３は、挿入部２２の基部２２ａと先端部２２ｂとの間の途中領域に設けられていれば良いが、保持部２４から挿入部２２の先端との間の中間部、又は、挿入部２２の中央より先端部２２ｂよりであって、保持部２４から把手具衝合部２３までの距離よりも把手具衝合部２３から先端までの距離の方が短いように設けることが好ましい。このような位置に被挿入衝合部１８を設けることによって、例えば、清掃用物品１０の被挿入部１５の中央部に被挿入衝合部１８が設けられた場合には、把手具衝合部２３よりも先端側では、挿入部２２の先端が被挿入部１５内に完全に隠れた状態となり、清掃時に挿入部２２の先端が直接清掃対象面に当たることを防止できるとともに、挿入部２２が配置されていない被挿入部１５の先端部分を柔軟に清掃対象面に接触させることができる。
【００２１】
挿入部２２の被挿入衝合部１８は、図３（ａ）〜（ｃ）及び図１５（ａ）に示す段差形状を採用する他、図１５（ｂ）に示すように、途中が連続的に細くなった領域、例えばテーパー形状を採用しても良い。この形状であっても、細くなった部分の一部が被挿入衝合部１８となり、図１５（ｂ）に示す形態では挿入部２２の両側２点が被挿入衝合部１８となり、保持部２４による清掃用物品１０との係合１点とを併せて合計３点で清掃用物品１０が挿入部２２に保持される。
【００２２】
挿入部２２の弾性値は５〜６０ｍｍ、特に２０〜５０ｍｍであることが、前述したように挿入部２２が適度な可撓性を有する上で好ましい。挿入部２２の弾性値を、５ｍｍ以上とすることで、清掃用物品を適度なコシを持って清掃対象面に押し当てることができる。一方、挿入部２２の弾性率を６０ｍｍ以下とすることで、挿入部２２を清掃対象面に押し当てた時に挿入部２２を該対象面に追従するように適度に撓ますことができる。
【００２３】
挿入部２２の弾性値の測定は、例えば、以下のように行うことができる。挿入部２２の根元をしっかりと固定し、それより先端部２２ｂ側の領域は下面に支えが無い状態にし、荷重を加えれば撓むようにする。その状態にした後に先端部に２００ｇの重りをぶら下げて先端部の撓み量を測定し、その値を弾性値とする。
【００２４】
また、把持部２１の剛性値は１０ｍｍ以下、特に５ｍｍ以下であることが、可撓性を有する挿入部２２を清掃対象面に確実に押し当てる上で好ましい。
把持部２１の剛性値の測定は、例えば以下のように行うことができる。把持部２１の挿入部２２の側の根元をしっかりと固定し、それより先端の領域は下面に支えが無い状態にし、荷重を加えれば撓むようにする。その状態にした後に先端部に３００ｇの重りをぶら下げて先端部の撓み量を測定し、その値を剛性値とする。
【００２５】
次に、本実施形態の清掃具１における清掃用物品１０について更に説明すると、清掃用物品１０は、図６に示すように、４層の繊維層１１ａ，１１ｂ，１１ｃ，１１ｄを備えており、ゴミ、埃等の捕捉性が高いものである。清掃用物品１０は、繊維束からなる４層の繊維層１１ａ〜１１ｄと不織布からなる一対の装着用シート１３ａ、１３ｂとが積層されて形成されている。
【００２６】
清掃用物品１０は、装着用シート１３ａ，１３ｂの上下それぞれに２つの繊維層を有しており、図１に示すように、該繊維層１１ａ〜１１ｄにおける繊維束が毛羽立てられ、清掃用物品１０の全体の形状が概ね円柱形状となっている。該円柱形状の清掃用物品１０は、繊維束の繊維端が存在する外縁によって囲まれる領域の面積が増加し、即ち繊維端による包絡面積が増加するのでその捕集効果が高められる。繊維層１１ａ〜１１ｄを毛羽立てるには、例えば該繊維層にエアーを吹き付けて繊維束を毛羽立たせる。
【００２７】
清掃用物品１０における一対の装着用シート１３ａ、１３ｂそれぞれは、図４及び図６に示すように縦長矩形であり、その長手方向は清掃用物品１０の長手方向と一致している。また、本実施形態の清掃用物品１０は被挿入部１５を１つ有している。被挿入部１５は、一対の装着用シート１３ａ，１３ｂを把手具２０の挿入方向に延びる２つの接合領域１６ａ、１６ｂで接合することにより形成され、２つの接合領域１６ａ、１６ｂは把持具２０の挿入方向と直交する方向に離間している。この２つの接合領域１６ａ、１６ｂは図４に示すように、装着用シート１３ａ、１３ｂの幅方向に離間して長手方向に細長く延びて形成されている（図４において点線で囲まれた部分）。
【００２８】
被挿入部１５において、各接合領域１６ａ、１６ｂは、複数の接合部１７が該把手具２０の挿入方向に、即ち、装着用シート１３ａ、１３ｂの一端から他端まで延びる概ね平行な一対の仮想線に沿って間隔をあけて並んで形成されている。詳述すると、接合部１７はその平面視形状が楕円形状であり、その長軸方向を装着用シート１３ａ，１３ｂの長手方向と一致させて形成されている。接合部１７は、ヒートシール等による融着又は接着剤による接着など公知の接合手段により形成されている。一対の装着用シート１３ａ，１３ｂが熱融着性の材料から構成されている場合には、熱融着によって接合部１７を形成することが簡便であり好ましい。このように、被挿入部１５は、把手具２０の挿入部２２が挿入される挿入方向に沿って間隔をあけて並んだ接合部１７によって、重ね合わされた装着用シート１３ａ，１３ｂが接合されて形成されている。
【００２９】
各接合領域１６ａ、１６ｂにおいて、接合部１７と隣接する接合部１７との間の部分では一対の装着用シート１３ａ，１３ｂが接合されていないことが好ましい。このように各接合領域１６ａ、１６ｂを不連続な接合部１７から形成すると、装着用シート１３ａ、１３ｂはその長手方向の柔軟性を向上させ、清掃対象面に沿って追随し易くなる。その結果、一対の装着用シート１３ａ，１３ｂそれぞれに接合されている繊維層も、清掃対象面に沿って追随し易くなるので、清掃用物品１０のゴミ、埃等の捕捉効果が高くなる。
【００３０】
特に、図５に示すように、把手具２０が被挿入部１５に挿入された状態において、挿入部２２の被挿入衝合部１８より先端部２２ｂ側では、各接合領域１６ａ、１６ｂと挿入部２２の側縁とが離間しているので、被挿入衝合部１８より先端領域の清掃用物品１０は横方向の柔軟性を向上させている。即ち、清掃作業の際に把手具２０を移動させた場合にも、清掃対象面に清掃用物品１０が柔軟に沿って追随するので、清掃用物品１０の先端部領域のゴミ、埃等の補足効果が高くなる。
各接合領域１６ａ、１６ｂにおける長手方向に隣あう接合部１７同士の間隔は、１０〜３０ｍｍ、特に１５〜２５ｍｍであることが前述した効果を得る上で好ましい。
【００３１】
被挿入部１５において、接合領域１６ａと接合領域１６ｂとは、一対の装着用シート１３ａ，１３ｂの幅方向に離間して設けられ、その幅は挿入部２２における基部２２ａから把手具衝合部２３までの領域の幅Ｗ３と概ね同じ又はそれより若干広くなっている。被挿入部１５の挿入用開口部の幅は、接合領域１６ａと接合領域１６ｂとの間の長さであり、該長さ（Ｗ３と略同じ）が挿入部２２の先端部２２ｂの幅Ｗ２に対して前述した範囲内にあれば、例えば把手具２０を被挿入部１５に対して多少斜めに入れても、挿入部２２が被挿入部１５の挿入用開口部に引っかかることなく挿入できるので、把手具２０を被挿入部１５に挿入し易く且つ抜き易くなっている。
接合部１６ａ、１６ｂは、図５に示すように把手具２０が挿入された際、挿入部２２の長手方向両側縁と部分的に接し、該挿入部２２が一対の装着用シート１３ａ，１３ｂの幅方向に動くことが規制される。
【００３２】
前述したように構成される被挿入部１５は、図４に示すように、清掃用物品１０の取着前、即ち使用前においては、一対の装着用シート１３ａ，１３ｂが重なった状態にあるが、前述した把手具２０を挿入すると装着用シート１３ａ，１３ｂの間が離れて扁平な筒状の空間が形成される。
【００３３】
また、清掃用物品１０の被挿入部１５は、把手具２０の挿入方向の両端に挿入用開口部を有し、いずれの該挿入用開口部から挿入部２１を挿入しても被挿入衝合部１８が把手具衝合部２３と衝合し、把手具２０に設けられた保持部２４にて清掃用物品１０の挿入用開口部近傍を保持可能である。
【００３４】
更に説明すると、被挿入部１５は、装着用シート１３ａ，１３ｂの長手方向両端部の間に亘って形成されている。被挿入部１５は、一対の装着用シート１３ａ，１３ｂの長手方向両端部のそれぞれに挿入用開口部を有しており、把手具２０を何れの挿入用開口部からも挿入可能となっている。
【００３５】
尚、一対の装着用シート１３ａ，１３ｂのそれぞれは、その長手方向両端部が図４及び図６に示すように外側に折り返されて固定されており、両端部の剛性が高められ摘み易くなっている。これにより把手具２０を清掃用物品１０に挿入する際又は取り外す際の操作性が向上している。
【００３６】
清掃用物品１０の被挿入部１５の被挿入衝合部１８は、図４に示すように被挿入部１５における把手具２０の挿入方向中央部に設けられている。また、本実施形態において、被挿入衝合部１８は把手具２０の挿入方向と直交する方向に離間する一対の衝合用接合部１８ａ、１８ｂから形成されている。
一対の衝合用接合部１８ａ、１８ｂそれぞれは、その平面視形状が円形であり、ヒートシール等による融着又は接着剤による接着など公知の接合手段により形成されている。一対の装着用シート１３ａ，１３ｂが熱融着性の材料から構成されている場合には、熱融着によって衝合用接着部１８ａ、１８ｂを形成することが簡便であり好ましい。
【００３７】
各衝合用接合部１８ａ、１８ｂは、被挿入部１５の幅方向に離間して設けられ、その間隔は挿入部２２の把手具衝合部２３から先端部２２ｂまでの領域の幅Ｗ２と略同じ又は幅Ｗ２より若干広くなっている。
一対の衝合用接合部１８ａ、１８ｂは、図５に示すように、把手具２０の挿入部２２を被挿入部１５に挿入したときに、把手具衝合部２３と衝合するまでスムーズに挿入可能とし、衝合してからは把手具衝合部２３より基部２２ａ側の挿入部２２は衝合用接合部１８ａ、１８ｂより先に挿入されず、即ち、被挿入部１５内へのそれ以上の挿入を規制する。把手具２０を被挿入部１５に挿入し清掃用物品１０が保持された状態では、挿入部２２の先端部２２ｂは、被挿入部１５の把手具２０を挿入した挿入用開口部とは反対側の端部付近に位置するが、この被挿入部１５の端部から突き出ない状態にあることが好ましい。
【００３８】
また、本実施形態の清掃用物品１０において、清掃用物品１０の挿入用開口部近傍には保持部２４と係合する係合手段１９が設けられている。詳述すると、一対の装着用シート１３ａ，１３ｂそれぞれにおける把手具２０の挿入方向両端部には、図２及び図５に示すように把手具２０の保持部２４としてのフック部と係合する係合手段１９としての切れ込みが設けられている。
係合手段１９としての切れ込みは、直線状、抜き穴、曲線状等の種々の形状を採用できるが、本実施形態ではコの字状をしており、保持部２４と係合することにより、装着用シート１３ａ，１３ｂの長手方向内側から上方に向けて開くようになっている。係合手段１９が保持部２４に係合されると、把手具２０は、被挿入部１５における長手方向の動き、特に被挿入部１５が抜ける方向への動きが規制されるため、挿入した把手具２０に清掃用物品１０を安定して保持することができる。
【００３９】
保持部２４としてのフック部が、係合手段１９としての切れ込みに係合された状態において、フック部２４は、切れ込み１９に密接して係合しているか、又は所定の遊びを有して係合していることが好ましい。フック部２４と切れ込み１９とが密接して係合している場合には、把手具衝合部２３と保持部２４との間における清掃用物品１０の移動はほとんど生じない。
【００４０】
前述した係合手段１９は、一対の装着用シート１３ａ，１３ｂのそれぞれに形成されているので、被挿入部１５を何れの面を上側としても把手具２０に保持することができる。
【００４１】
即ち、前述した本実施形態の清掃具１は、扁平で筒状の把手挿入部１５を有する清掃用物品１０と、該把手挿入部１５に挿入して取り付けられる把手２０とからなり、全体として縦長な形状を有している。被挿入部１５は、図４に示すように、一対の把手装着用シート１３ａ、１３ｂが接合されて形成されており、把手具２０は、図３（ａ）〜（ｃ）に示すように、把持部２１と、該把持部２１の先端から延びており被挿入部１５内に挿入される板状の挿入部２２とから形成されており、挿入部２２は、基部２２ａからその先端部２２ｂへ向かう途中に把手具衝合部としての一対の段差部２３，２３を有しており、一対の該段差部２３，２３から該先端部２２ｂまでの部分の幅は、一対の該段差部２３，２３における挿入部２２の幅よりも狭く形成されており、被挿入部１５の入り口の幅は、先端部２２ｂの幅よりも広く且つ一対の段差部２３，２３における挿入部２２の幅と略同じとなっており、被挿入部１５は、一対の把手装着用シート１３ａ、１３ｂが、把手具２０の挿入方向に延びる２つの接合領域１６ａ、１６ｂで接合されて形成されており、２つの該接合部１６ａ，１６ｂは、把手２０の挿入方向と直交する方向に離間しており、把手挿入部１５には、図５に示すように、一対の段差部２３，２３における挿入部２２の狭くなった幅を有する被挿入衝合部としての括れ部１８が設けられている。本実施形態において、把手２０の挿入方向は、清掃用物品１０の長手方向と一致しており、把手２０の挿入方向と直交する方向は、清掃用物品１０の幅方向と一致している。
【００４２】
本実施形態の清掃具１において、清掃用物品１０を把手具２０に保持する際には、例えば、挿入部２２を、把手具衝合部２３が被挿入衝合部１８によりそれ以上の挿入が規制されるまで、被挿入部１５内に挿入し、次いで被挿入部１５の挿入用開口部側の端部を摘み、この端部を把持部２１の方向上方へ引っ張ることで係合手段１９としての切れ込みと保持部２４とを係合し、清掃用物品１０を把手具２０に保持することが可能である。
【００４３】
逆に、把手具２０に保持された清掃用物品１０を外す際には、例えば、被挿入部１５の挿入用開口部側の端部を摘み、この端部を把持部２１方向の上方へ引っ張ることで、係合手段１９としての切れ込みを保持部２４から外し、次いで把手具２０を被挿入部１５から引き抜くことで、把手具２０を清掃用物品１０から外すことが可能である。
【００４４】
本実施形態の清掃用物品１０について、更にまた説明すると、繊維層１１ａ，１１ｂ，１１ｃ，１１ｄは、所定の厚みをもって繊維束が一方向に配向されてなるものである。繊維束は、図６に示すように清掃用物品１０の幅方向に配向している。
【００４５】
繊維層１１ａ、１１ｂと装着用シート１３ａとは、各繊維層１１ａ、１１ｂにおける繊維の配向方向が、装着用シート１３ａの長手方向と略直交して積層されている。更に繊維層１１ａ、１１ｂ及び装着用シート１３ａは、それらの幅方向中央部を一致させて装着用シート１３ａの長手方向にわたり接合されている。接合は、所定幅をもった直線状の接合ライン１４に沿って行われる。接合ライン１４は、繊維層１１ａ、１１ｂ及び装着用シート１３ａの幅方向中央部に形成される。接合ライン１４は、例えばヒートシール等の融着、接着剤による接着などの公知の接合手段によって形成される。繊維層１１ａ、１１ｂ及び装着用シート１３ａの何れもが熱融着性の材料から構成されている場合には、熱融着によって接合ライン１４を形成することが簡便である。
同様に、繊維層１１ｃ、１１ｄと装着用シート１３ｂとは、積層して接合されている。尚、一対の装着用シート１３ａ，１３ｂ同士は接合ライン１４によって接合されていない。
【００４６】
また、繊維層１１ｂと装着用シート１３ａ及び繊維層１１ｃと装着用シート１３ｂそれぞれは、接合領域１６ａ、１６ｂを形成する接合部１７及び一対の衝合用接合部１８ａ、１８ｂが融着により形成されていることが、清掃用物品１０に柔軟性を確保しつつ剛性を付与する観点から好ましい。
本実施形態の清掃用物品１０は、前述したように構成された後、各繊維層が毛羽立たされ全体が円柱形状を有する。
【００４７】
本実施形態の清掃具１を構成する各部材について説明すると、各繊維層１１ａ〜１１ｄを構成する繊維としては、繊維長が３０〜１５０ｍｍ、特に５０〜１００ｍｍのものを用いることが埃の絡み取り性の点から好ましい。本実施形態においては、このような繊維長を有する繊維を繊維束（トウ）の状態で用いる。その際には公知の開繊装置を用いて繊維を十分に開繊しておくことが好ましい。
【００４８】
繊維として特に捲縮繊維を用いると、埃の絡み取り性が一層向上するので好ましい。捲縮繊維としては、二次元又は三次元捲縮したものを用いることができる。捲縮率（ＪＩＳ  Ｌ０２０８）は５〜５０％、特に１０〜３０％であることが埃の絡み取り性の向上の点から好ましい。捲縮率は、繊維を引き伸ばしたときの長さＡと元の繊維の長さＢとの差の伸ばしたときの長さＡに対する百分率で定義され、下記の式から算出される。
捲縮率＝（Ａ−Ｂ）／Ａ  ×  １００  （％）
【００４９】
元の繊維の長さＢとは、自然状態における繊維の両端部を直線で結んだ長さをいう。自然状態とは、繊維の一方の端部を水平な板に固定し、繊維の自重で下方に垂らした状態をいう。繊維を引き伸ばした時の長さＡとは、繊維の捲縮がなくなるまで伸ばした時の最小荷重時の長さをいう。
繊維の捲縮率は前述の通りであり、捲縮数は１ｃｍ当たり２〜１０個であることが好ましい。
【００５０】
繊維の太さは本発明において特に臨界的ではないが、埃の絡み取り性や、清掃対象面への傷付き防止性の観点から、０．１〜２００ｄｔｅｘ、特に２〜３０ｄｔｅｘであることが好ましい。
【００５１】
また、清掃用物品１０における装着用シート１３ａ，１３ｂの形成材料としては、従来の清掃用物品に用いられている不織布等の繊維シートを用いることができる。特に、エアスルー不織布もしくはスパンボンド不織布が好ましい。
【００５２】
把手具２０の形成材料としては、熱可塑性樹脂が好ましく、具体的にはポリエチレン、ポリプロピレン、ポリ塩化ビニル、ポリスチレン、ＡＢＳ樹脂、アクリル樹脂等が、成形加工性、可撓性の観点から好ましい。
【００５３】
前述した本実施形態の清掃具１によれば、把手具２０の挿入部２２は、先細りの形状を有しており、被挿入部１５に挿入し易く且つ外し易くなっている。また、挿入された挿入部２２は、被挿入部１５内における長手方向の動きが規制されており、且つ係合手段１９が保持部２４と係合されることで、把手具２０に清掃用物品１０が安定的に保持される。即ち、清掃具１は、清掃操作中には、清掃用物品１０が把手具２０から抜け難く、清掃用物品１０を把手具２０から外す操作は、前述したように容易である。
また、把手具２０を清掃用物品１０の長手方向両端部の何れからも挿入できるので、清掃作業により清掃用物品１０の長手方向の一方の端部が汚れても、把手具２０を別の端部の挿入用開口部に挿入し直して、汚れの少ない他方の端部を用いて清掃作業が行うことができる。
【００５４】
次に、本発明の第２〜４実施形態の清掃具を、図７〜図１２を参照しながら説明する。
第２〜４実施形態について、特に説明しない点については、第１実施形態に関して詳述した説明が適宜適用される。また、図７〜図１２において、図１〜図６と同じ部材に同じ符号を付してある。
【００５５】
本発明の好ましい第２実施形態の清掃具１において、把手具２０は、図７に示すように清掃用物品１０の被挿入部１５に長手方向の一方からのみ挿入可能となっている。また、係合手段１９としての切れ込みも、把手具２０を挿入する挿入用開口部の側にのみ設けられている。
【００５６】
本実施形態において、被挿入部１５における接合領域１６ａと接合領域１６ｂとの間の幅は、一対の衝合用接合部１８ａ、１８ｂの係合手段１９が設けられている挿入用開口部側とその反対側とで異なっている。係合手段１９が設けられている側の領域における接合領域１６ａと接合領域１６ｂとの幅は、挿入部２２の基部２２ａから把手具衝合部２３までの領域の幅Ｗ３（図３（ｂ）参照）と略同じ又は幅Ｗ３よりやや広くなっている。
【００５７】
一方、係合手段１９が設けられていない側の領域における接合領域１６ａと接合領域１６ｂとの幅は、挿入部２２の把手具衝合部２３から先端部２２ｂまでの領域の最大幅である幅Ｗ２（図３（ｂ）参照）と略同じ又は幅Ｗ２よりやや広くなっている。
本実施形態の被挿入部１５において、接合領域１６ａ、１６ｂは、図７に示すように把手具２０を挿入して挿入部２２の把手具衝合部２３と被挿入部１５の被挿入衝合部１８とを衝合させた状態では、挿入部２２の長手方向両側縁の略全長に亘り部分的に接し、挿入部２２が一対の装着用シート１３ａ，１３ｂの幅方向に動くことが規制される。
その他の構成は、前述した第１実施形態と同様である。
【００５８】
前述した本実施形態の清掃具１によれば、被挿入部１５に挿入された挿入部２２は被挿入部１５内における幅方向の動きが更に規制されており、清掃用物品１０は把手具２０に更に安定的に保持される。また、前述した第１実施形態と同様の効果が奏される。
【００５９】
尚、被挿入衝合部１８は、第１実施形態にあっては衝合接合部１８ａ、１８ｂにより形成し、本実施形態にあっては接合領域１６ａ、１６ｂの間の幅又は断面積を挿入用開口部側の領域において大きく、その反対側の領域において小さく形成し、広い幅（大きな断面積）から狭い幅（小さな断面積）に変わる境部分によって形成しているが、これらの構成には限定されない。即ち、被挿入衝合部１８は、清掃用物品１０の被挿入部１５に把手具２０の挿入部２２を挿入したときに、把手具２０の把手具衝合部２３と衝合させて、衝合位置から先に挿入部２２を挿入させない構成であれば種々の構成を採用することができる。例えば、被挿入部１５の挿入用開口部を挿入部２２の最大幅（又は最大断面積）よりも広幅（又は広い面積）に形成し、接合領域１６ａ、１６ｂの間の幅を挿入用開口部側から先端に向かう途中領域から徐々に狭く形成し、挿入部２２の把手具衝合部２３（段差形状が好ましい）に衝合するが把手具衝合部２３よりも先端部２２ｂ側の挿入部２２を挿入可能な幅まで狭くするテーパー部を形成することにより、挿入部２２をこのテーパー部によって誘導しながら被挿入衝合部１８と把手具衝合部２３とが衝合するまでスムーズに挿入することができる。
【００６０】
本発明の好ましい第３実施形態の清掃具１において、挿入部２２は、図８及び図９に示すように、互いに略平行に延びている板状の一対の棒状部２２１，２２１を有しており、一対の該棒状部２２１，２２１はその長手方向と直交する方向に離間し、一対の棒状部２２１，２２１の先端同士２２２，２２２は連結しており、一対の該棒状部２２１，２２１それぞれの基部２２３近傍の外側には保持部２４として一対のフック部が設けられており、この一対のフック部における外側端縁同士２４１，２４１の幅は被挿入部１５の挿入用開口部の幅よりも大きくなっており、一対の棒状部２２１，２２１はその基部同士２２３，２２３の間隔が狭まるように変形可能となっている。
【００６１】
本実施形態の挿入部２２は、弾性を有する熱可塑性樹脂から形成されている。挿入部２２において、一対の棒状部２２１，２２１の基部２２３側端部の外側には、図８及び図９に示すように一対の拡縮操作部２２４，２２４が設けられており、一対の拡縮操作部２２４，２２４を互いに近づくように押圧することより、一対の棒状部２２１，２２１の基部同士２２３，２２３の間隔が狭まる。一対の棒状部２２１，２２１は、その先端同士２２２，２２２同士が連結しているので、基部同士２２３，２２３を互いに近づけるか又は遠ざける変形に対して、元の間隔の状態に戻ろうとする復元力を有する。
【００６２】
本実施形態の清掃具１について更に説明すると、清掃用物品の係合手段は、図１０に示すように、把手具２０を挿入する方向と直交する方向に離間して設けられた一対の保持用接合部１９，１９である。
把手具２０は、図１０に示すように、挿入部２２を清掃用物品１０の被挿入部１５に挿入し、保持部２４としての一対のフック部を一対の保持用接合部１９，１９とを係合させることによって、清掃用物品１０を保持する。
【００６３】
一対の保持用接合部１９，１９それぞれは、装着用シート１３ａ、１３ｂの把手具２０の挿入方向における両端部が部分的に接合されて形成されている。一対の保持用接合部１９，１９それぞれは、縦長矩形形状であり、その長手方向が装着用シート１３ａ、１３ｂの幅方向と一致している。
保持用接合部１９は、ヒートシール又は接着剤による接着など公知の接合手段により形成されている。一対の装着用シート１３ａ，１３ｂが熱融着性の材料から構成されている場合には、熱融着によって保持用接合部１９を形成することが簡便であり好ましい。
【００６４】
被挿入部１５において、一対の保持用接合部１９，１９は、図１０に示すように、一対の装着用シート１３ａ，１３ｂの幅方向に、幅Ｗ５（図１０参照）離間して設けられている。幅Ｗ５は、挿入部２２における保持部２４としての一対のフック部から把手具衝合部２３までの部分の幅Ｗ３よりも、１ｍｍ以上、特に３ｍｍ以上大きいことが、挿入部２２を被挿入部１５に挿入し又は取り外し易くなる観点から好ましい。
【００６５】
また、本実施形態の把手具２０において、把持部２１に挿入部２２が脱着可能に取着されている。把持部２１の先端部には、挿入部２２の基部２２ａを嵌入するための嵌入部２１１が設けられている。挿入部２２の基部側端部に位置する一対の拡縮操作部２２４，２２４は、基部２２ａが嵌入部２１１に嵌入された状態で、図８（ａ）及び（ｂ）に示すように嵌入部２１１の両側部に設けられた開口部から外側に延出している。
【００６６】
保持部２４は、図９に示すように楔形をしており、挿入部２２を被挿入部１５に挿入し易い形状を有している。保持部２４の基部２２３側は、やや基部２２３側の端縁に向って傾斜しながら棒状部２２１の側縁に対して幅方向外方に延びており、保持用接合部１９との係合が外れにくい形状を有している。
【００６７】
挿入部２２は、図９に示す把持部２１から脱着された状態において、保持部２４としての一対のフック部から把手具衝合部２３までの部分の幅が略一定であり、把手具衝合部２３において幅が狭まり、把手具衝合部２３から先端部２２ｂまでの部分の幅がまた略一定となっている。このように、挿入部２２は、先細りの形状を有し、その平面視形状が幅方向の中心線に対して略線対称に形成されており、把手具２０の全体としての外観は、図８（ａ）〜（ｃ）に示すように前実施形態の把手と略同様である。
【００６８】
図９は、把持部２１から脱着された状態における挿入部２２の平面図を示している。挿入部２２の一対の棒状部２２１，２２１の基部２２３，２２３同士の間隔は、把持部２１から脱着された状態では、把持部２１の嵌入部２１１に嵌入された状態（図８）よりも離間した状態にある。従って、一対の基部２２３，２２３は、嵌入部２１１内において互いに離間する方向に広がろうとする復元力を有し、この力によって嵌入部２１１内に安定的に固定されている。また、一対の拡縮操作部２２４，２２４それぞれの内側には、図９に示すように補助固定部２２５が設けられており、該補助固定部２２５により板状の一対の棒状部２２１，２２１それぞれの面方向の動きが規制されて固定されている。
【００６９】
また、挿入部２２は、図１０に示すように把持部２１に取着された状態において、保持部２４としての一対のフック部における外側端縁同士２４１，２４１の幅Ｗ４（図１０参照）は、一対の保持用接合部１９，１９同士の幅Ｗ５よりも、１ｍｍ以上、特に３ｍｍ以上大きいことが好ましい。
幅Ｗ４が幅Ｗ５よりも１ｍｍ以上、特に３ｍｍ以上大きいことにより、保持部２４としての一対のフック部が、保持用接合部１９，１９と確実に係合される。尚、幅Ｗ４の最大値は、挿入部２２又は装着用シート１３，１３等の寸法から適宜決められることが好ましい。
【００７０】
図１１に示すように、一対の拡縮操作部２２４，２２４を互いに近づくように押すと、保持部２４（一対のフック部）における外側端縁同士２４１，２４１の幅Ｗ４は、保持用接合部１９，１９同士の幅Ｗ５よりも狭まるようになっている。また、一対の拡縮操作部２２４，２２４を押すことを止めると、挿入部２２の復元力により一対の棒状部２２１，２２１の基部同士２２３，２２３の間隔が広がり、保持部２４（一対のフック部）における外側端縁同士２４１，２４１の幅Ｗ４は、保持用接合部１９，１９同士の幅Ｗ５よりも広がる。この状態において、保持部２４としての一対のフック部それぞれは、図１０に示すように保持用接合部１９，１９と係合した状態となり、把手具２０は、被挿入部１５における長手方向外側への動きが規制され、把手具２０に挿入された清掃用物品１０に安定して固定される。
【００７１】
前述したように、一対の拡縮操作部２２４，２２４を互いに近づくように押し、幅Ｗ４を幅Ｗ５よりも狭めるのに要する荷重は、０．１〜５Ｎ、特に０．５〜３Ｎであることが好ましい。荷重が０．１Ｎ以上であることにより、清掃作業中に、誤って一対の拡縮操作部２２４，２２４が互いに近づくように押され、清掃用物品１０が把手具２０から外れることが防止される。また、荷重が５Ｎ以下であることにより、子供から大人まで、一対の拡縮操作部２２４，２２４を互いに近づくように押すことができ、把手具２０から清掃用物品１０の脱着及び装着が容易となる。
【００７２】
前述した荷重の測定は、例えば、以下のように行うことができる。道具の拡縮操作部を圧縮試験機にセットし、拡縮操作部がもっとも縮んだところでの荷重を測定する。
その他の構成は、前述した第１実施形態と同様である。
【００７３】
本実施形態の清掃具１において、清掃用物品１０を把手具２０に保持する際には、例えば、図１１に示すように、一対の拡縮操作部２２４，２２４を互いに近づくように押し、幅Ｗ４を幅Ｗ５よりも狭めた状態で、挿入部２２を、把手具衝合部２３が被挿入衝合部１８としての括れ部によりそれ以上の挿入が規制されるまで被挿入部１５内に挿入し、一対の拡縮操作部２２４，２２４を押すのを止める。すると、挿入部２２の復元力により、一対の棒状部２２１，２２１の基部同士２２３，２２３の間隔が広がり、保持部２４としての一対のフック部それぞれは、図１０に示すように保持用接合部１９，１９と係合し、清掃用物品１０を把手具２０に固定して保持することが可能である。
【００７４】
逆に、把手具２０に保持された清掃用物品１０を外す際には、例えば、図１２に示すように、把持部２１を片手で持ち、清掃用物品１０を下側に向けた状態で、一対の拡縮操作部２２４，２２４を互いに近づくように押して幅Ｗ４を幅Ｗ５よりも狭めると、清掃用物品１０は自重により被挿入部１５から抜け落ち、把手具２０から外すことが可能となる。
【００７５】
前述した本実施形態の清掃具によれば、把手具２０への清掃用物品１０の装着及び脱着が容易となっている。また、清掃用物品１０の脱着の際には、汚れた清掃用物品１０を手で触れることなく、廃棄することができる。そして、前述した第１実施形態と同様の効果が奏される。
【００７６】
本発明の好ましい第４実施形態の清掃具１は、筒状の被挿入部１５を有する清掃用物品１０と被挿入部１５に挿入して取り付けられる把手具２０とからなる。
また、本実施形態の清掃具１において、被挿入部１５は、一対の装着用シート１３ａ、１３ｂが接合されて形成されており、把手具２０は、把持部２１と、把持部２１の先端から延びて被挿入部１５内に挿入される挿入部２２とから形成されている。挿入部２２は、基部２２ａからその先端部２２ｂへ向う途中に把手具衝合部２３を有しており、把手具衝合部２３から先端部２２ｂまでの部分の太さは、把手具衝合部２３の太さよりも細く形成されており、被挿入部１５の挿入用開口部の大きさは、先端部２２ｂの太さよりも大きく且つ把手具衝合部２３の太さと略同じとなっている。被挿入部１５は、一対の装着用シート１３ａ、１３ｂが、把手具２０の挿入方向に延びる２つの接合領域１６ａ、１６ｂで接合されて形成されており、２つの接合領域１６ａ、１６ｂは、把手具２０の挿入方向と直交する方向に離間しており、各接合領域１６ａ、１６ｂは、接合部１７が把手具２０の挿入方向に間隔をあけて並んで形成されており、被挿入部１５には、挿入部２２の把手具衝合部２３としての段差部の細い部分に相当する太さを有する被挿入衝合部１８としての括れ部が設けられている。
【００７７】
本実施形態の清掃具１における把手具２０について、更に説明すると、挿入部２２は細長く、挿入部２２の長手方向と直交する方向の断面形状が円形状を有している。挿入部２２は、２枚の装着用シート１３ａ，１３ｂによって形成される被挿入部１５内に挿入される。
挿入部２２は、その基部２２ａから把手具衝合部２３までの部分の太さが略一定であり、把手具衝合部２３において太さが細くなり、把手具衝合部２３から先端部２２ｂまでの部分の太さがまた略一定となっている。本明細書において、挿入部２２の太さは、挿入部２２の長手方向と直交する方向における断面の面積である。
【００７８】
挿入部２２は、その基部２２ａから段差部２３までの部分を形成する円柱形状と、把手具衝合部２３から先端部２２ｂまでの部分を形成する円柱形状との中心軸が一致している。
挿入部２２において、把手具衝合部２３から先端部２２ｂまでの部分の太さである断面の面積が、基部２２ａから把手具衝合部２３までの部分の太さである断面の面積に対して、５０〜９５％、特に７０〜９０％であることが、挿入部２２の把手具衝合部２３において被挿入衝合部１８と衝合し、被挿入部１５内へそれ以上の挿入が確実に規制され、把手具２０を被挿入部１５に挿入する際に、把手具２０が被挿入部１５の挿入用開口部に引っかからず且つ把手具２０の挿入部２２の剛性を確保する上で好ましい。
また、把手具衝合部２３としては、先端部２２ｂ側から基部２２ａ側へ向かって広がるテーパーが形成されており、把手具２０が被挿入部１５へスムーズに入れやすくなっている。
このように、挿入部２２は先細りの形状を有している。その他の構成は、前述した第
１実施形態と同様である。
【００７９】
本実施形態の清掃具１における清掃用物品１０について、更に説明する。清掃用物品１０の被挿入部１５において、被挿入衝合部１８は、被挿入部１５における把手具２０の挿入方向中央部に設けられている。また、本実施形態において、被挿入衝合部１８は、把手具２０の挿入方向と直交する方向に離間する一対の衝合用接合部１８ａ、１８ｂから形成されている。一対の衝合用接合部１８ａ、１８ｂそれぞれは、その平面視形状が円形である。
本実施形態において、把手具２０の挿入部２２が、被挿入部１５に挿入されると、一対の装着用シート１３ａ、１３ｂの間が離れ、断面が円形状の筒状の空間が形成される。挿入部２２は、把手具衝合部２３において被挿入衝合部１８と衝合することにより、被挿入部１５内へそれ以上の挿入が規制される。
【００８０】
前述した本実施形態の清掃具１によれば、把手具２０における挿入部２２の剛性が高められており、清掃対象面に固く付着したゴミ等を擦りおとすことが容易となっている。また、前述した第１実施形態と同様の効果が奏される。
【００８１】
本発明の清掃具１は、前述した実施形態に制限されることなく、本発明の趣旨を逸脱し
ない限り適宜変更が可能である。
例えば、本発明の清掃具１における各実施形態において、接合領域１６ａ、１６ｂは、接合部１７の不連続的に接合により形成されていたが、連続的な接合によって形成されていても良い。また、各実施形態において、接合領域１６ａ、１６ｂは、把手具２０の挿入方向と平行に形成されていたが、把手具２０の挿入方向に延びていれば、平行に形成されていなくても良い。また、各実施形態において、被挿入衝合部１８を形成する一対の衝合用接合部１８ａ、１８ｂそれぞれは、その平面視形状が円形であり、相隣接する接合部１７とは繋がっていなかったが、図１３に示すように、相隣接する接合部１７と繋がった形状を有していても良い。さらに、衝合用接合部１８ａ、１８ｂは一対ある必要はなく、一方のみ形成するものであっても良く、この場合の挿入部２２の把手具衝合部２３も一方側に設けても良く、衝合用接合部１８ａ又は１８ｂを形成した側に衝合するように挿入部２２を被挿入部１５に挿入する。
【００８２】
また、挿入部２２は、図１４（ａ）〜（ｃ）に示すように、２股形状を採用しても良い。この場合、二股形状の挿入部２２の二股部分を挿入するために、被挿入部１５は幅方向中央部に清掃用物品１０の長手方向に延びる接合領域１６ｃが形成されていることが好ましい。
【００８３】
尚、挿入部２２がその基部２２ａから先端部２２ｂに向かう途中領域、好ましくは中央部で２股に分岐し、先端部２２ｂへ延びる２股形状で形成された場合には、この分岐部分を把手具衝合部２３とし、被挿入部１５の中央部に形成した衝合用接合部を被挿入衝合部１８とし、挿入部２２の２股を構成する２本の板状部又は棒状部の間において分岐部分に衝合させる。この場合の衝合用接合部は、例えば図１４（ｃ）に示す接合領域１６ｃにように挿入部２２の挿入方向における中央領域にのみ設けることによって形成することができる。２股形状を採用した挿入部２２の分岐部分を把手具衝合部２３とし、被挿入部１５の中央部の接合領域１６ｃを被挿入衝合部１８とすることによって、挿入部２２の側部に把手具衝合部を形成しない構成も採用することができる。また、把手具衝合部２３としての分岐部分は、被挿入部１５の端部（挿入用開口部）でなく被挿入部１５の内部で被挿入衝合部１８に衝合するので、被挿入部１５が挿入部２２の挿入方向への移動を規制する部分が係合手段１９と把手具衝合部２３である分岐部分とに分散され、被挿入部１５の挿入用開口部におけるよれ、破れ、皺を防止できる。
【００８４】
また、各実施形態において、被挿入部１５における各接合領域１６ａ、１６ｂは、接合点が間隔をあけて直線状に連なって形成されていたが、各接合領域１６ａ、１６ｂは、接合線が間隔をあけて直線状に連なって形成されていても良い。また、各実施形態において、清掃用物品１０を構成する繊維層１１ａ〜１１ｄは、それぞれ繊維束（トウ）から形成されていたが、該繊維束に替えて、それぞれ長繊維から形成されていても良い。この場合、繊維層１１ａ〜１１ｄそれぞれにおける長繊維が毛羽立てられて、清掃用物品１０の全体の形状が円柱状となっていることが好ましい。この長繊維として、ポリエチレンテレフタレート（PET）やポリプロピレン（PP）やポリエチレンPEやPET/PE等が用いられ、繊維長さは、好ましくは５０〜２００ｍｍ、更に好ましくは６０〜１２０ｍｍであり、繊維の太さは、好ましくは０．５〜５ｄｔｅｘ、更に好ましくは１〜３ｄｔｅｘである。
また、繊維層の数は特に制限されない。
【００８５】
更に、第４実施形態において、把手具２０の挿入部２２は、その断面形状が円形状であったが、楕円形状、長円形状、三角形状又は四角形状等の多角形状を有していても良い。また、第４実施形態において、挿入部２２は、互いに略平行に延びている一対の棒状部２２１，２２１を有しており、一対の棒状部２２１，２２１の先端２２２，２２２同士は連結しており、一対の該棒状部２２１，２２１それぞれの基部２２３近傍の外側には、接合部１６ａ、１６ｂと係合する保持部２４として一対のフック部が設けられ、一対のフック部の外側端縁２４１，２４１同士の幅が被挿入部１５の挿入用開口部の大きさよりも大きくなっており、一対の棒状部２２１，２２１がその基部２２３，２２３同士の間隔が狭まるように変形可能となっていても良い。
【００８６】
また、保持部２４は、前述したフック部等のほか、面ファスナ、又は、弾性板状部にスリットを設け、被挿入部１５の端部をこのスリットで挟んで保持する等の種々の手段を採用することができる。
【００８７】
更に、本発明の清掃用物品１０は、把手具２０の挿入部２２を挿入可能な被挿入部１５と、挿入された該挿入部２２の一部と衝合して衝合位置から先への該挿入部２２のそれ以上の挿入を規制する被挿入衝合部１８とを有しており、被挿入部１５は、重ね合わせた装着用シート１３を接合することによって形成され、装着用シート１３は、複数の接合領域１６，１６を有しており、該接合領域１６，１６それぞれは、該装着用シート１３における把手具２０の挿入方向の一端から他端まで延びる概ね平行な複数の仮想線それぞれに沿って間隔をあけて設けられた接合部１７，１７により形成されており、被挿入衝合部１８は、相隣合う接合領域１６同士の間であって、挿入部２２が挿入される方向の中間領域に位置しており、重ね合わされた装着用シート１３が部分的に接合された接合部から形成されていても良い。
【００８８】
前述した一の実施形態における説明省略部分及び一の実施形態のみが有する部分は、すべて適宜相互に利用できる。
本発明の清掃具は、通常乾式の状態で、例えばテーブルや机、タンスなどの家具、テレビやビデオデッキ、冷蔵庫などの家電製品等の清掃に用いられる。また、部屋の隅部や、壁と家具との間の狭い隙間の清掃にも用いられる。
【図面の簡単な説明】
【００８９】
【図１】図１は、本発明の清掃具の第１実施形態を示す斜視図である。
【図２】図２は、本発明の第１実施形態の清掃具を示す平面図である。
【図３】図３（ａ）〜（ｃ）は、第１実施形態の清掃具における把手具を示しており、（ａ）は斜視図であり、（ｂ）は平面図であり、（ｃ）は側面図である。
【図４】図４は、第１実施形態の清掃具の清掃用物品における一対の被装着用シートを示す平面図である。
【図５】図５は、図４に示す一対の被装着用シートに把手が挿入されている様子を示す平面図である。
【図６】図６は、図１に示す清掃具の分解斜視図である。
【図７】図７は、本発明の清掃具の第２実施形態の清掃用物品における一対の装    着用シートに把手具が挿入されている様子を示す平面図である。
【図８】図８（ａ）〜（ｃ）は、本発明の清掃具の第３実施形態における把手具を示しており、（ａ）は斜視図であり、（ｂ）は平面図であり、（ｃ）は側面図である。
【図９】図９は、図８に示す把手具の挿入部を示す平面図である。
【図１０】図１０は、図８に示す把手具が一対の装着用シートに挿入されている様子を示す平面図である。
【図１１】図１１は、図８に示す把手具の挿入部を清掃用物品の被挿入部に挿入している様子を示す模式図である。
【図１２】図１２は、図８に示す把手具の挿入部から清掃用物品を外す様子を示す模式図である。
【図１３】図１３は、本発明の清掃具の他の実施形態の清掃用物品における括れ部を示す平面図である。
【図１４】図１４（ａ）〜（ｃ）は、それぞれ本発明の清掃具の更に他の実施形態の清掃用物品における一対の装着用シートに把手具が挿入されている様子を示す平面図である。
【図１５】図１５（ａ）及び（ｂ）は、それぞれ本発明の清掃具の更にまた他の実施形態の清掃用物品における把手具を示している。
【符号の説明】
【００９０】
１    清掃具
１０  清掃用物品
１１ａ，１１ｂ，１１ｃ，１１ｄ  繊維層
１３ａ，１３ｂ  装着用シート
１４  接合ライン
１５  被挿入部
１６ａ、１６ｂ  接合領域
１７  接合部
１８  被挿入衝合部
１８ａ、１８ｂ  衝合用接合部
１９  係合手段（切れ込み）、保持用接合部
２０  把手具
２１把持部
２１１  嵌入部
２２挿入部
２２ａ  基部
２２ｂ  先端部
２２１  棒状部
２２２  棒状部の先端
２２３  棒状部の基部
２２４  拡縮操作部
２２５  補助固定部
２３  把手具衝合部
２４  保持部
２４１  外側端縁
【図１】
0004817998.tif 000002
【図２】
0004817998.tif 000003
【図３】
0004817998.tif 000004
【図４】
0004817998.tif 000005
【図５】
0004817998.tif 000006
【図６】
0004817998.tif 000007
【図７】
0004817998.tif 000008
【図８】
0004817998.tif 000009
【図９】
0004817998.tif 000010
【図１０】
0004817998.tif 000011
【図１１】
0004817998.tif 000012
【図１２】
0004817998.tif 000013
【図１３】
0004817998.tif 000014
【図１４】
0004817998.tif 000015
【図１５】
0004817998.tif 000016